(57)【要約】【課題】装置のコストアップを抑えつつ、排紙トレイの状態を検知することのできる記録装置を得る。【解決手段】プリンター１は、用紙に記録を行う記録ヘッド７を備えるとともに所定方向に往復動するキャリッジ６と、排紙口２ｂを備えたハウジング２と、キャリッジ６の移動領域に突出する突出部４ａを備えた、排紙口２ｂを開閉する排紙トレイ４と、を備えている。排紙トレイ４が閉じた状態では、突出部４ａがキャリッジ６の移動領域に進出し、これによりキャリッジ６を駆動する駆動モーター１２の駆動電流値が増加するので、排紙トレイ４の閉状態を検知できる。【選択図】図５
2013230883.tif 000002
【特許請求の範囲】
【請求項１】
被記録媒体に記録を行う記録ヘッドを備えるとともに所定方向に往復動するキャリッジと、
開口部を備えたハウジングと、
前記開口部を開閉する開閉体と、を備え、
前記開閉体には、当該開閉体が閉じた状態において、前記キャリッジの移動領域に突出して前記キャリッジと係合する突出部が設けられている、
ことを特徴とする記録装置。
【請求項２】
請求項１に記載の記録装置において、前記突出部は、前記キャリッジの移動方向において、前記記録ヘッドが被記録媒体に記録を行う際の前記キャリッジの移動領域外に位置する、
ことを特徴とする記録装置。
【請求項３】
請求項１または２に記載の記録装置において、前記開口部は、記録が行われた被記録媒体が排出される排出口であり、
前記開閉体は、排出される被記録媒体を受けるトレイである、
ことを特徴とする記録装置。
【請求項４】
請求項３に記載の記録装置において、前記突出部は、前記開閉体としてのトレイにおいて被記録媒体を受ける領域外に設けられている、
ことを特徴とする記録装置。
【請求項５】
請求項３に記載の記録装置において、前記突出部は、前記開閉体としてのトレイにおいて被記録媒体を受ける領域内に、被記録媒体の排出方向と交差する方向に沿って複数設けられており、
排出された被記録媒体が前記突出部に支持されることにより、被記録媒体に下方に凸となるカールが形成される構成を備える、
ことを特徴とする記録装置。
【請求項６】
請求項１から５のいずれか１項に記載の記録装置において、前記突出部が、重力方向において前記キャリッジの重心位置で前記キャリッジと係合する、
ことを特徴とする記録装置。
【請求項７】
請求項１から６のいずれか１項に記載の記録装置において、前記キャリッジを駆動するモーターを制御する制御部は、記録実行指令を受けると、記録開始前に前記モーターを駆動して前記キャリッジを移動させ、
前記キャリッジを移動させた際の前記モーターの駆動電流値と前記キャリッジの移動量をもとにして、前記キャリッジの移動領域に前記突出部が突出しているか否かを判断し、
前記突出部が前記キャリッジの移動領域に突出している場合にはアラートを出す、
ことを特徴とする記録装置。
【発明の詳細な説明】
【技術分野】
【０００１】
本発明は、被記録媒体に記録を行う記録装置に関する。
【背景技術】
【０００２】
ファクシミリやプリンター等に代表される記録装置においては、記録済みの用紙を受ける排紙トレイが設けられており、またこの排紙トレイが、用紙排出口を覆う状態と開く状態とを取りうるように設けられたものもある。
【０００３】
この様な記録装置において、排紙トレイが閉じられたままであると用紙の排出ができない。その為、排紙トレイの状態を検知するセンサーを設け、排紙トレイが用紙の排出を妨げる状態のときは、記録の実行を行わないか、或いはその旨を操作者に報知する様に構成された記録装置もある（例えば、特許文献１）。
【先行技術文献】
【特許文献】
【０００４】
【特許文献１】特開２００３−４８６５９号公報
【発明の概要】
【発明が解決しようとする課題】
【０００５】
しかしながら特許文献１に記載の構成において、排紙トレイの状態を検知するセンサーは、それ専用のものとして設けられていたことから、装置のコストアップが不可避であった。
【０００６】
そこで本発明はこの様な状況に鑑みなされたものであり、その目的は、装置のコストアップを抑えつつ、排紙トレイの状態を検知することのできる記録装置を得ることにある。
【課題を解決するための手段】
【０００７】
上記課題を解決する為の、本発明の第１の態様に係る記録装置は、被記録媒体に記録を行う記録ヘッドを備えるとともに所定方向に往復動するキャリッジと、開口部を備えたハウジングと、前記開口部を開閉する開閉体と、を備え、前記開閉体には、当該開閉体が閉じた状態において、前記キャリッジの移動領域に突出して前記キャリッジと係合する突出部が設けられていることを特徴とする。
【０００８】
本態様によれば、ハウジングに形成された開口部を開閉する開閉体には、閉じた状態においてキャリッジの移動領域に突出して前記キャリッジと係合する突出部が設けられているので、開閉体が閉じられている場合にはキャリッジが突出部と係合してその移動動作が妨げられる。これにより、キャリッジを駆動する制御手段は開閉体が閉じられていることを検知できるので、前記開閉体の開閉状態を検出する為の専用のセンサーを設ける必要がなく、装置のコストアップを抑えつつ、開閉体の状態を検知することができる。
【０００９】
本発明の第２の態様は、第１の態様において、前記突出部は、前記キャリッジの移動方向において、前記記録ヘッドが被記録媒体に記録を行う際の前記キャリッジの移動領域外に位置することを特徴とする。  
本態様によれば、前記突出部は、被記録媒体に記録を行う際の前記キャリッジの移動領域外に設けられているので、仮に記録実行中に前記開閉体が閉じられた場合でもキャリッジと前記突出部との係合が回避される。その結果、例えば高速移動中のキャリッジが前記突出部に衝突して当該突出部が破損したり、或いは逆にキャリッジが破損したりといった不具合を回避することができる。
【００１０】
本発明の第３の態様は、第１のまたは第２の態様において、前記開口部は、記録が行われた被記録媒体が排出される排出口であり、前記開閉体は、排出される被記録媒体を受けるトレイであることを特徴とする。  
本態様によれば、前記開口部は、記録が行われた被記録媒体が排出される排出口であり、前記開閉体は、排出される被記録媒体を受けるトレイであるので、当該開閉体としてのトレイの開閉状態を、専用のセンサーを設けることなく検出することができる。
【００１１】
本発明の第４の態様は、第３の態様において、前記突出部は、前記開閉体としてのトレイにおいて被記録媒体を受ける領域外に設けられていることを特徴とする。  
本態様によれば、前記突出部は、前記開閉体としてのトレイにおいて被記録媒体を受ける領域外に設けられているので、前記突出部が被記録媒体の排出を妨げることを防止できる。
【００１２】
本発明の第５の態様は、第３の態様において、前記突出部は、前記開閉体としてのトレイにおいて被記録媒体を受ける領域内に、被記録媒体の排出方向と交差する方向に沿って複数設けられており、排出された被記録媒体が前記突出部に支持されることにより、被記録媒体に下方に凸となるカールが形成される構成を備えることを特徴とする。
【００１３】
本態様によれば、前記開閉体としてのトレイにおいて被記録媒体を受ける領域内に、被記録媒体の排出方向と交差する方向に沿って複数設けられており、排出された被記録媒体が前記突出部に支持されることにより、被記録媒体に下方に凸となるカールが形成されるので、被記録媒体がトレイの先端から垂れ下がり、ひいては落下することを防止できる。
【００１４】
本発明の第６の態様は、第１から第５の態様のいずれかにおいて、前記突出部が、重力方向において前記キャリッジの重心位置で前記キャリッジと係合することを特徴とする。  
本態様によれば、前記突出部が、重力方向において前記キャリッジの重心位置で前記キャリッジと係合するので、前記キャリッジが前記突出部に当接した際の前記キャリッジの傾きを抑制でき、前記キャリッジが前記突出部に当接したことを確実に検知することができる。
【００１５】
本発明の第７の態様は、第１から第５の態様のいずれかにおいて、前記キャリッジを駆動するモーターを制御する制御部は、記録実行指令を受けると、記録開始前に前記モーターを駆動して前記キャリッジを移動させ、前記キャリッジを移動させた際の前記モーターの駆動電流値と前記キャリッジの移動量をもとにして、前記キャリッジの移動領域に前記突出部が突出しているか否かを判断し、前記突出部が前記キャリッジの移動領域に突出している場合にはアラートを出すことを特徴とする。
【００１６】
本態様によれば、前記制御部は、記録実行指令を受けると、記録開始前に前記突出部が前記キャリッジの移動領域に突出しているか否かを判断し、前記突出部が前記キャリッジの移動領域に突出している場合にはアラートを出すので、前記開閉体が閉じたまま被記録媒体が排出されることを防止できる。
【図面の簡単な説明】
【００１７】
【図１】本発明に係るプリンターの外観斜視図（上部カバー閉、排紙トレイ閉）。
【図２】本発明に係るプリンターの外観斜視図（上部カバー開、排紙トレイ閉）。
【図３】本発明に係るプリンターの外観斜視図（上部カバー開、排紙トレイ閉）。
【図４】図３の部分拡大図。
【図５】本発明に係るプリンターの外観斜視図（上部カバー開、排紙トレイ開）。
【図６】図５の部分拡大図。
【図７】キャリッジ及び突出部の側面図。
【図８】キャリッジ移動領域の平面図。
【図９】キャリッジのホームポジション検出時の制御内容を示すフローチャート。
【図１０】キャリッジ駆動制御の内容を示すフローチャート。
【図１１】本発明の他の実施形態に係るプリンターの外観斜視図（上部カバー開及び排紙トレイ開）。
【図１２】他の実施形態に係る排紙トレイが開いた状態で当該排紙トレイを排紙方向から見た図。
【発明を実施するための形態】
【００１８】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００１９】
図１〜図３、図５は本発明に係る「記録装置」の一実施形態であるインクジェットプリンター（以下「プリンター」と言う）１の外観斜視図であり、図１は上部カバー３が閉じ且つ排紙トレイ４が閉じた状態を、図２及び図３は上部カバー３が開き且つ排紙トレイ４が閉じた状態を、図５は上部カバー３と排紙トレイ４が双方開いた状態を、それぞれ示している。
【００２０】
また図４は図３の部分拡大図、図６は図５の部分拡大図、図７はキャリッジ６及び突出部４ａの側面図、図８はキャリッジ移動領域の平面図、図９はキャリッジ６のホームポジション検出時の制御内容を示すフローチャート、図１０はキャリッジ駆動制御の内容を示すフローチャートである。更に、図１１は他の実施形態に係るプリンター１’の外観斜視図（上部カバー３’が開き且つ排紙トレイ４’が開いた状態）、図１２は他の実施形態に係る排紙トレイ４’’が開いた状態で当該排紙トレイ４’’を排紙方向から見た図である。
【００２１】
尚、各図において同一の構成や位置等を示すものには同一符号を付してあり、重複する説明は適宜省略するものとする。また、各図に示すｘ−ｙ−ｚ座標系において、ｘ軸方向はキャリッジ移動方向（用紙幅方向とも言う）、ｙ軸方向は用紙搬送方向（用紙排出方向とも言う）、ｚ軸方向は重力方向を示している。
【００２２】
以下、本発明の実施形態について説明する。プリンター１は、外観がハウジング２、上部カバー３、排紙トレイ４、のこれらによって構成されている。上部カバー３及び排紙トレイ４は、ハウジング２に対して回動可能（開閉可能）に設けられており、双方ともに閉じた状態では図１に示す様にハウジング２と面一になる様に構成されている。
【００２３】
図２〜図５においてプリンター１は、被記録媒体の一例としての記録用紙にインクジェット記録を行う記録ヘッド７を備えるとともに所定方向（ｘ軸方向）に往復動するキャリッジ６を備えている。キャリッジ６には、図示を省略するインクカートッジが搭載され、このインクカートリッジから記録ヘッド７へとインクが供給される。
【００２４】
プリンター１は、ｘ軸方向に延設されたキャリッジガイド軸５を備えており、キャリッジ６はこのキャリッジガイド軸５によってｘ軸方向に案内される。またプリンター１は、図８に示す様にキャリッジ６を駆動する駆動モーター１２と、記録が行われた用紙を排出する排出ローラー９の回転軸９ａに正転／逆転の駆動力を与える駆動モーター２０と、この駆動モーター１２、２０を制御する制御部１１と、を備えている。尚、駆動モーター２０は、排出ローラー９に加え、図示を省略する搬送ローラー（用紙搬送経路において記録ヘッド７の上流側に設けられる）へも駆動力を与える。
【００２５】
駆動モーター１２には駆動プーリー１３が取り付けられ、この駆動プーリー１３と従動プーリー１４との間に無端ベルト１５が係回されている。キャリッジ６は、ベルト固定部６ｂにおいて無端ベルト１５と接続されており、以上の構成によりキャリッジ６が、制御部１１の制御のもと、駆動モーター１２の動力によってｘ軸方向に駆動される。
【００２６】
尚、図８において符号１７はｘ軸方向に延設されたリニアスケールであり、符号１８は、リニアスケール１７を読み取る、キャリッジ６に搭載されたセンサーである。センサー１８は制御部１１に接続され、これにより制御部１１は、キャリッジ６のｘ軸方向移動量や移動速度を算出できる様になっている。
【００２７】
また、図８において符号１０は、排出ローラー９の回転軸９に対して摩擦部材を介して取り付けられたキャリッジロック部材を示している。このキャリッジロック部材１０は、排出ローラー９が用紙を排出する正転方向に回転する場合には、符号１０’及び仮想線で示す様にキャリッジ６の移動領域から退避する（キャリッジロック解除状態）。しかしながら、排出ローラー９が逆転方向に回転する場合には、実線で示す様にキャリッジ６の移動領域に突出し、キャリッジ６の前方左側壁６ａと係合可能となる（キャリッジロック状態）。従ってこれにより、キャリッジ６を、ホームポジション領域に拘束（ロック）することができる。
【００２８】
図２〜図５に戻り、ハウジング２には開口部２ａが形成されており、この開口部２ａによってキャリッジ６の移動領域が露呈し、インクカートリッジ交換作業や紙ジャム発生時の用紙除去作業などが行える様になっている。また符号２ｃは給紙口であり、この給紙口２ｃに記録用紙をセットする構成となっている。上部カバー３は、開いた状態において図２、図３、図５に示す様に傾斜姿勢となり、給紙口２ｃにセットされた記録用紙を傾斜姿勢に支持する。即ち上部カバー３は、給紙口２ｃ及び開口部２ａを開閉する機能に加え、開いた状態において用紙支持部材として機能する。
【００２９】
排紙トレイ４は回動可能に設けられ、ハウジング２の前方壁部２ｄに沿って垂直に立った状態（図１〜図４）と、装置前方側に倒れて略水平に寝た状態（図５）とを切り換え可能となっている。また前方壁部２ｄの下側には排紙口２ｂ（図５）が形成されており、排紙トレイ４は回動することにより、この排紙口２ｂを開閉する。即ち排紙トレイ４は、排紙口２ｂを開閉する開閉体として機能する。尚、図６において排紙口２ｂの内側に視認できる符号９で示すローラーは、既に説明した様に用紙を排出する排出ローラーである。この排出ローラー９は、ｘ軸方向に延びるローラー軸９ａに、ｘ軸方向に沿って適宜の間隔で複数設けられている。
【００３０】
本発明の特徴は、排紙トレイ４に突出部４ａが形成されている点である。突出部４ａは排紙トレイ４と樹脂成形によって一体的に形成されており、排紙トレイ４の幅方向（ｘ軸方向）において一方側の端部に設けられている。尚、突出部４ａが設けられた位置は、排紙トレイ４において用紙を支持する領域外に設けられており、これにより突出部４ａが用紙の排出を妨げることはない。
【００３１】
一方、ハウジング２の前方壁部２ｄには、穴２ｅが形成されており（図４、図６）、排紙トレイ４が閉じられた際に突出部４ａが穴２ｅに入り込める様になっている。そして穴２ｅに入り込んだ突出部４ａは、図３、図４、図８に示す様にキャリッジ６の移動領域に突出（進出）し、キャリッジ６と係合可能な状態となる。
【００３２】
図２〜図６、図８の実線に示されるキャリッジ６は、ホームポジション領域に位置しており、キャリッジロック解除状態においてキャリッジ６がホームポジション領域から反対側方向（図８においてｘ＋方向）に移動すると、キャリッジ６が突出部４ａと係合（当接）する。
【００３３】
これにより、キャリッジ６を駆動する駆動モーター１２の駆動電流値が増加し、従って制御部１１は、排紙トレイ４が閉じた状態であることを検知することができる。  
これにより、排紙トレイ４の開閉状態を検出する為の専用のセンサーを設ける必要がなく、装置のコストアップを抑えつつ、排紙トレイ４の状態を検知することができる。
【００３４】
尚、突出部４ａがキャリッジ６と係合する位置は、ｚ軸方向（重力方向）において、図７に示す様にキャリッジ６の重心位置Ｇである。つまり、例えば突出部４ａの位置が図７の重心位置Ｇより上側或いは下側にあると、キャリッジ６が突出部４ａに当接した際に、当該キャリッジ６にｙ軸まわりの回転モーメント（傾き傾向）が生じる。これにより、キャリッジ６が突出部４ａに当接したにも拘わらずキャリッジ６の傾きによって若干動いてしまうこともなく、後述するホームポジション検出を適切に行うことができる。また、キャリッジ６が突出部４ａに当接した際の駆動モーター１２の電流値増加が明確となり、例えばキャリッジ６が詰まっている用紙に当接した場合との区別が容易に行える。
【００３５】
加えて、突出部４ａが設けられた位置は、記録ヘッド７が用紙に記録を行う際のキャリッジ６の移動領域外（図８の範囲Ａ１外）に設けられており、仮に記録実行中に排紙トレイ４が閉じられた場合で、キャリッジ６と突出部４ａとの係合が回避される。その結果、例えば高速移動中のキャリッジ６が突出部４ａに衝突して当該突出部４ａが破損したり、或いは逆にキャリッジ６或いはその駆動機構が破損したりといった不具合を回避することができる。尚、図８において領域Ａ0、Ａ1、Ａ2、Ａ3は、キャリッジ６が移動する際の当該キャリッジ６の前方左側壁６ａの移動範囲である。
【００３６】
続いて、図８〜図１０を参照しながら制御部１１によるキャリッジ６の制御例について説明する。図８において、符号Ｘ0はキャリッジ６がホームポジション領域の右端（ｘ−方向の移動限度位置）にいる際の前方左側壁６ａのｘ軸方向位置であり、符号ｘmはキャリッジ６がホームポジションから最も遠い移動限界位置（ｘ＋方向の移動限度位置）にいる際の前方左側壁６ａのｘ軸方向位置であり、範囲Ａ0はキャリッジ移動可能領域である。また、範囲Ａ1は記録時におけるキャリッジ６の最大移動範囲である。
【００３７】
突出部４ａは位置ｘ0からｘ＋方向に距離Ａ2隔てた位置ｘ1に配置されている。これを利用して、キャリッジ６の電源を投入した際のホームポジション検出動作は、例えば図９に示す様に行うことができる。図９において電源ｏｎ（ステップＳ１０１）の後、駆動モーター１２を逆転駆動してキャリッジロック解除を行い（ステップＳ１０２）、次いでキャリッジ６を駆動モーター１２の電流値増加（予め定めたしきい値以上の増加:以下同様）が生じるまでｘ−方向に移動させる（ステップＳ１０３）。
【００３８】
このとき、通常、キャリッジ６はホームポジション領域（図８において突出部４ａより右側の領域）に位置しているので、キャリッジ６は移動可能領域の右端（位置ｘ0）に移動する（符号６_1で示すキャリッジ位置）。しかしながら、何らの理由により前回電源ｏｆｆ時に正しく終了していなかった場合、キャリッジ６が突出部４ａよりｘ＋側に位置している場合もあり、この場合にはキャリッジ６はｘ−方向への移動によって右側の側壁が突出部４ａと衝突する（符号６_2で示すキャリッジ位置）。
【００３９】
次いで、キャリッジ６を駆動モーター１２の電流値増加が生じるまでｘ＋方向に移動させる（ステップＳ１０４）。このときの、キャリッジ６の移動量が、距離Ａ2±α（αは誤差）であれば、キャリッジ６がホームポジション領域に位置していると判断できるので（ステップＳ１０５においてYes）、キャリッジ６をｘ軸方向に所定量（距離β）移動させ（ステップＳ１０６）、この位置をホームポジションに設定する。尚、図８ではこのホームポジション位置は図示していないが、符号６_1で示すキャリッジ位置よりもやや左側（ｘ＋側）の位置となる。
【００４０】
ステップＳ１０５においてNoの場合、キャリッジ６の移動量が、距離Ａ3±α（αは誤差）であれば（ステップＳ１０７においてYes）、キャリッジ６が突出部４ａよりｘ＋側に位置していると判断でき、そしてｘ＋側の限度位置まで移動していることから、キャリッジ６は位置Ｘm（符号６_3で示すキャリッジ位置）にあると判断できる（ステップＳ１０８）。従ってこの位置Ｘmをもとにして、キャリッジ６のホームポジション位置を設定する。
【００４１】
尚、ステップＳ１０７においてNoの場合、キャリッジ６の移動領域に何らかの障害物が存在するなど、キャリッジ６の移動が阻害されていると判断できるので、この場合はエラーとし、その旨のアラートを発する。
【００４２】
以上が電源ｏｎ時に行うホームポジション検出シーケンスであり、そして制御部１１は、その後記録実行指令を受けると、記録開始前にキャリッジ６を移動させて、キャリッジ６の移動領域に突出部４ａが進出しているか否か、つまり排紙トレイ４が閉じているか否かを検知し、排紙トレイ４が閉じていると判断できる場合には、その旨のアラートを出す。
【００４３】
具体的には、図１０に示す様に記録実行指令を受けると（ステップＳ２０１においてYes）、念の為、モーター１２を逆転駆動してキャリッジロック解除を行い（ステップＳ２０２）、次いでキャリッジ６を駆動モーター１２の電流値増加が生じるまでｘ−方向に移動させ（ステップＳ２０３）、次いで同様に電流値増加が生じるまでｘ＋方向に移動させる（ステップＳ２０４）。これは、図９のステップＳ１０３、１０４と同様である。
【００４４】
このとき、キャリッジ移動量が、距離Ａ2±α（αは誤差）であれば（ステップＳ２０３５においてYes）、キャリッジ６が突出部４ａに当接したと判断でき、即ち排紙トレイ４が閉じていると判断できるので、排紙トレイ４が閉じている旨のアラートを発する（ステップＳ２０９）。
【００４５】
尚このアラートは、例えばプリンター１が接続されたコンピューターにおいて動作するプリンタドライバを介してディスプレイ装置にアラート表示として表示させても良いし、プリンター１において警告灯が設けられていればそれを点灯或いは点滅させても良いし、或いは警報音を発しても良い。また、プリンター１が表示装置を備えていれば、当該表示装置にアラート表示を表示しても良い。そしてアラートを発するのに併せて、記録再開指令が出されるまで、記録動作を中断する（ステップＳ２１０、Ｓ２１１）。
【００４６】
ところで、排紙トレイ４が閉じられており、且つ、キャリッジ６が突出部４ａよりＸ＋側に位置する場合もある。この場合ステップＳ２０４によるキャリッジ移動量が、距離Ａ3±α（αは誤差）となるので（ステップＳ２０６においてYes）、この場合も同様に、排紙トレイ４が閉じている旨のアラートを発し（ステップＳ２０９）、記録再開指令が出されるまで、記録動作を中断する（ステップＳ２１０、Ｓ２１１）。
【００４７】
次に、ステップＳ２０４によるキャリッジ移動量が、距離Ａ0±α（αは誤差）の場合には（ステップＳ２０７においてYes）、キャリッジ６は図８の範囲Ａ0を移動したと判断でき、即ちキャリッジ移動領域に突出部４ａが進出していないと判断できるから、この場合には記録動作を開始する（ステップＳ２０８）。
【００４８】
尚、ステップＳ２０４によるキャリッジ移動量が、Ａ2±α、Ａ3±α、Ａ0±α、のこれらのいずれでもない場合には（ステップＳ２０７においてNo）、キャリッジ６の移動領域に何らかの障害物が存在するなど、キャリッジ６の移動が阻害されていると判断できるので、この場合はエラーとし、その旨のアラートを発する。
【００４９】
以上のように制御部１１は、記録実行指令を受けると、記録開始前にキャリッジ６を移動させて、キャリッジ６の移動領域に突出部４ａが進出しているか否か、つまり排紙トレイ４が閉じているか否かを検知し、排紙トレイ４が閉じていると判断できる場合には、その旨のアラートを出すので、排紙トレイ４が閉じている状態で排紙を行うことがなく、紙ジャムの発生を防止することができる。
【００５０】
■■■他の実施形態■■■■■■■■■■■■■■■■■■■■■■■■  
（１）上記実施形態では突出部４ａはキャリッジ６のホームポジション領域の近傍に配置したが、これに限られずその他の位置に設けても良い。  
（２）上記実施形態では突出部４ａを排紙トレイ４に設けたが、排紙トレイ４に代えて、或いは排紙トレイ４に加えて、プリンター１が備えるその他の開閉体に設けても良い。図１１はその一例を示すものであり、符号３ａは上部カバー３’に設けられた突出部である。この突出部３ａは、上述した突出部４ａと同様に、上部カバー３’が閉じた状態においてキャリッジ６と係合可能である。これにより、上部カバー３’の開閉状態を検知することができる。尚、図１１において符号４’は突出部を備えない排紙トレイである。
【００５１】
（３）上記実施形態では突出部４ａを排紙トレイ４において用紙を受ける領域（用紙支持領域）の外側に設けたが、用紙支持領域内に設けても良い。図１２はその一例を示すものであり、排紙トレイ４’’において突出部４ａは、用紙支持領域Ａ4内に、用紙排出方向と交差する方向（図１２の左右方向）に沿って複数設けられている。
【００５２】
そしてこれにより、排出された用紙が複数の（図１２では２つの）突出部に支持されることにより、用紙には下方に凸となるカールが形成される。その結果、用紙先端が排紙トレイ先端から或る程度突出しても、用紙先端が排紙トレイ先端から垂れ下がってひいては落下することを防止できる。
【００５３】
（４）上記実施形態では、突出部４ａを舌片状に形成したが、これに限られず、キャリッジ６と係合してキャリッジ６を駆動する駆動モーター１２に明確な電流値増加をもたらすものであれば、突出部４ａはどの様な形状であっても良い。
【符号の説明】
【００５４】
１  インクジェットプリンター、２  ハウジング、２ａ  上部開口部、２ｂ  排紙口、２ｃ  給紙口、２ｄ  前方壁部、２ｅ  穴、３  上部カバー、４  排紙トレイ、４ａ  突出部、５  キャリッジガイド軸、６  キャリッジ、６ａ  前方左側壁、６ｂ  ベルト固定部、７  記録ヘッド、９  排出ローラー、９ａ  排出ローラー軸、１０  キャリッジロック部材、１１  制御部、１２  駆動モーター、１３  駆動プーリー、１４  従動プーリー、１５  無端ベルト、１７  リニアスケール、１８  センサー、２０  駆動モーター
【図１】
2013230883.tif 000003
【図２】
2013230883.tif 000004
【図３】
2013230883.tif 000005
【図４】
2013230883.tif 000006
【図５】
2013230883.tif 000007
【図６】
2013230883.tif 000008
【図７】
2013230883.tif 000009
【図８】
2013230883.tif 000010
【図９】
2013230883.tif 000011
【図１０】
2013230883.tif 000012
【図１１】
2013230883.tif 000013
【図１２】
2013230883.tif 000014